(57)【要約】  【課題】ディスク装置側からテレビジョン受像機側に静止画像が継続して送られる場合に、ＣＲＴの画面に焼付きが生じるのを防止する。  【解決手段】ディスク装置一体型テレビジョン受像機１のディスク装置２側からテレビジョン受像機４側に静止画像データの送信が開始されるときに、タイマー３４をスタートさせる。静止画像の表示が継続した結果、タイマー３４がタイムアップすると、ディスク装置２側のＣＰＵ２４はテレビジョン受像機４側のＣＰＵ４４にその旨を通知する。通知を受けたテレビジョン受像機４側のＣＰＵ４４は、メモリー４５に格納されている現在の輝度データをセーブし、そのデータよりも小さい値の輝度データをＣＲＴ駆動部５４に送る。これにより、ＣＲＴ５５の輝度が下がる。その後、操作部５６のいずれかのキーが押されると、ＣＲＴ５５の輝度は元の輝度に戻る。【選択図】  図１
2005086480.tif 000002
【特許請求の範囲】
【請求項１】
映像が記録されたＤＶＤまたはＣＤのデータを再生するディスク装置と、ディスク装置により再生されたデータまたは放送信号のいずれかの映像をＣＲＴに表示するＣＲＴ駆動部および複数の操作キーを有する操作部を備えたテレビジョン受像機とからなるディスク装置一体型テレビジョン受像機において、
前記ディスク装置およびテレビジョン受像機は、夫々の動作を制御する制御部を夫々備え、
前記ディスク装置の制御部は、静止画像データがディスク装置からテレビジョン受像機へ継続して送られる時間を監視し、且つ当該時間が所定の時間を超えた場合にはテレビジョン受像機に所定のコマンドを送り、
前記テレビジョン受像機の制御部は、前記所定のコマンドを受けたときは、前記ＣＲＴに表示される前記静止画像データの映像の輝度を下げるように前記ＣＲＴ駆動部を制御し、その後に前記複数の操作キーのいずれかが押されたときは、前記下げられた輝度が元の輝度に回復するように前記ＣＲＴ駆動部を制御することを特徴とするディスク装置一体型テレビジョン受像機。
【請求項２】
映像が記録された記録媒体のデータを再生する再生装置と、再生装置により再生されたデータまたは放送信号のいずれかの映像を映像出力部に表示する映像出力駆動部を備えたテレビジョン受像機とからなる再生装置一体型テレビジョン受像機において、
前記再生装置およびテレビジョン受像機の動作を制御する制御部を備え、
前記制御部は、静止画像データが再生装置からテレビジョン受像機へ継続して送られる時間を監視し、当該時間が所定の時間を超えた場合には、前記映像出力部に表示される前記静止画像データの映像の輝度を下げるように前記映像出力駆動部を制御することを特徴とする再生装置一体型テレビジョン受像機。
【請求項３】
請求項２に記載の再生装置一体型テレビジョン受像機において、前記静止画像データが高輝度の静止画像データと低輝度の静止画像データとを含むときは、前記所定の時間が経過した後は、前記制御部は、前記高輝度の静止画像データが再生装置からテレビジョン受像機へ送られないように制御することを特徴とする再生装置一体型テレビジョン受像機。
【請求項４】
請求項２または請求項３に記載の再生装置一体型テレビジョン受像機において、前記制御部には複数の操作キーを有する操作部が接続され、前記輝度が下げられた後に前記複数の操作キーのいずれかが押されたときは、前記制御部は、前記下げられた輝度が元の輝度に回復するように前記映像出力駆動部を制御することを特徴とする再生装置一体型テレビジョン受像機。
【発明の詳細な説明】
【技術分野】
【０００１】
本発明は、ディスク装置一体型テレビジョン受像機および再生装置一体型テレビジョン受像機に関するものである。
【背景技術】
【０００２】
従来のＤＶＤプレーヤー等においては、視聴者へのメッセージを表すオンスクリーン表示等の静止画像が長時間に渡ってテレビジョン受像機のＣＲＴ（陰極線管）に表示されると、ＣＲＴの画面に焼付きが発生することから、静止画像の表示が一定時間以上継続した場合には、スクリーンセイバーを起動して動画像をＣＲＴに表示することが広く知られている。また、テレビジョン受像機のＣＲＴの輝度が調整可能であることも広く知られている（例えば、特許文献２）。
【０００３】
また、特許文献１には、静止画像であるＤＶＤのディスクメニューが長時間に渡ってＣＲＴに表示されると、ＣＲＴの画面に焼付きが生じることから、これを防止するために、ディスクメニューが表示されてから所定の時間が経過した後に、ＤＶＤの再生を停止させること、または装置の電源をオフモードに移行させることが示されている。
【０００４】
【特許文献１】特開２００２−１１２１２４号公報（請求項３、段落０００２、段落０００３）
【特許文献２】特開平８−９３１１号公報（請求項２）
【発明の開示】
【発明が解決しようとする課題】
【０００５】
しかしながら、上記従来のものにおいては、スクリーンセイバー用の動画の画像データを格納するために、メモリーの記憶容量が増加するという問題がある。また、特許文献１に示される方法では、ＤＶＤの再生が停止され、または装置の電源がオフモードに移行するので、ディスクメニューが見えなくなってしまうという問題がある。
【０００６】
本発明は、上記問題点を解決するものであって、その課題とするところは、ディスク装置側（または、再生装置側）からテレビジョン受像機側に静止画像データが継続して送られることがあっても、メモリー容量を増加させることなく、テレビジョン受像機のＣＲＴの画面に焼付きが生じるのを防止でき、且つ焼付き防止の処理がされているときにも、視聴者が当該静止画像を識別することのできるディスク装置一体型テレビジョン受像機および再生装置一体型テレビジョン受像機を提供することにある。
【課題を解決するための手段】
【０００７】
本発明では、映像が記録されたＤＶＤまたはＣＤのデータを再生するディスク装置とテレビジョン受像機とからなるディスク装置一体型テレビジョン受像機において、ディスク装置の制御部は、静止画像データがディスク装置からテレビジョン受像機へ継続して送られる時間を監視し、且つ当該時間が所定の時間を超えた場合にはテレビジョン受像機に所定のコマンドを送り、テレビジョン受像機の制御部は、所定のコマンドを受けたときは、ＣＲＴに表示される静止画像データの映像の輝度を下げるようにＣＲＴ駆動部を制御し、その後に複数の操作キーのいずれかが押されたときは、下げられた輝度が元の輝度に回復するようにＣＲＴ駆動部を制御する。このようにすることで、静止画像が所定の時間を超えて継続してＣＲＴに表示された場合には、ＣＲＴの輝度が下げられ、また、輝度が下げられた後に、いずれかの操作キーが押されると元の輝度に回復する。これにより、メモリー容量を増加させることなく、ＣＲＴの画面の焼付きが防止されると共に、視聴者は当該静止画像を識別することもできる。また、輝度が回復した場合には、視聴者は当該静止画像を一層容易に識別することができる。
【０００８】
また、本発明では、映像が記録された記録媒体のデータを再生する再生装置とテレビジョン受像機とからなる再生装置一体型テレビジョン受像機において、その制御部は、静止画像データが再生装置からテレビジョン受像機へ継続して送られる時間を監視し、且つ当該時間が所定の時間を超えた場合には、映像出力部に表示される静止画像データの映像の輝度を下げるように映像出力駆動部を制御する。このようにすることで、静止画像が所定の時間を超えて継続して映像出力部に表示された場合には、映像出力部の輝度が下げられる。これにより、メモリー容量を増加させることなく、映像出力部の画面の焼付きが防止されると共に、視聴者は当該静止画像を識別することもできる。
【０００９】
本発明においては、静止画像データが高輝度の静止画像データと低輝度の静止画像データとを含むときは、所定の時間が経過した後は、制御部は、高輝度の静止画像データが再生装置からテレビジョン受像機へ送られないように制御する。このようにすることで、高輝度の静止画像データの映像が映像出力部に表示されなくなり、映像出力部の画面の焼付きが一層効果的に防止される。
【００１０】
また、本発明においては、制御部には複数の操作キーを有する操作部が接続され、輝度が下げられた後に複数の操作キーのいずれかが押されたときは、制御部は、下げられた輝度が元の輝度に回復するように映像出力駆動部を制御する。このようにすることで、輝度が下げられた後に、いずれかの操作キーが押されると元の輝度に回復するので、視聴者は当該静止画像を一層容易に識別することができる。
【発明の効果】
【００１１】
本発明によれば、ディスク装置側からテレビジョン受像機側に静止画像データが継続して送られることがあっても、メモリー容量を増加させることなく、テレビジョン受像機のＣＲＴの画面の焼付きが防止される。また、焼付き防止の処理がされているときにも、視聴者は当該静止画像を識別することができる。
【発明を実施するための最良の形態】
【００１２】
図１は、本発明に係るディスク装置一体型テレビジョン受像機１のブロック図である。本ディスク装置一体型テレビジョン受像機１は、ディスク装置２とテレビジョン受像機４とから構成される。まず、ディスク装置２の構成について説明する。このディスク装置２は、ＤＶＤ、ＣＤ等の各種の記録媒体であるディスク３０を再生し、書き込み可能なディスク３０に記録を行うこともできる。
【００１３】
アンテナ１１で受信された放送信号は、チューナ２１で選局され、信号選択部２２に送られる。信号選択部２２では、ＣＰＵ２４からの信号により、放送信号または外部入力端子１２からの信号のいずれか一方が選択され、記録信号処理部３２に送られる。記録信号処理部３２では、入力信号がＡ／Ｄ変換され、例えばＭＰＥＧ−２方式により符号化される。符号化された信号は、記録再生部３１においてディスク３０に記録される。
【００１４】
記録再生部３１は、ディスク３０を戴置して搬入出するためのトレイ、ディスク３０にデータを記録するための記録ヘッド、ディスク３０のデータを再生するための再生ヘッドおよび記録再生の際にディスク３０を回転させるための回転駆動機構等から構成される。また、記録再生部３１にはセンサが設けられており、ＣＰＵ２４からディスク３０の有無、トレイのオープン状態等を調べることができるようになっている。記録再生部３１で再生されたディスク３０のデータは、再生信号処理部３３で復号化され、その後Ｄ／Ａ変換されてＯＳＤ処理部２３に送られる。
【００１５】
本ディスク装置２は、ディスク３０の有無、トレイのオープン状態等を視聴者に知らせるために各種メッセージをディスク３０の再生データまたは背景画像データに重畳させて表示するオンスクリーン表示（以下、ＯＳＤという）機能を備えている。例えば、トレイがオープンであることを知らせるために、図４（ａ）に示されるような画像がＣＲＴ５５に表示される。図中の斜線を付された部分（「ＤＶＤ」を含む）が背景画像５５Ａであり、それ以外の太線で図示されている部分がＯＳＤ５５Ｂである。これらは共に静止画像である。また、視聴者の注意を喚起する関係上、ＯＳＤ５５Ｂの方が背景画像５５Ａよりも高い輝度で表示される。
【００１６】
背景画像データおよびＯＳＤデータはメモリー２５中に格納されており、これらのデータはＣＰＵ２４により取り出された後に合成され、ＯＳＤ処理部２３を経由してテレビジョン受像機４の信号選択部４２に送られる。つまり、図４（ａ）のような画像がＣＲＴ５５に表示される場合、ディスク装置２からテレビジョン受像機４へ送られる静止画像データは、高輝度データと低輝度データとを含む。このとき、ＯＳＤ５５Ｂの方が背景画像５５Ａよりも輝度が高くなるように制御される。また、場合によっては、メモリー２５から取り出されたＯＳＤデータがＯＳＤ処理部２３で再生データに重畳されてテレビジョン受像機４の信号選択部４２に送られる。
【００１７】
ＣＰＵ２４には、メモリー２５およびタイマー３４が接続されている。メモリー２５には、ディスク装置２の動作を制御するためのプログラム、上述の背景画像データおよびＯＳＤデータ、放送信号をディスク３０に記録するときに使用するデータ（局番、記録開始時刻、記録時間等）、各種の制御データ等が格納されている。また、メモリー２５はＣＰＵ２４の演算作業領域としても使用される。タイマー３４にはＣＰＵ２４から時間データが設定される。そして、設定された時間が経過すると、タイマー３４は当該時間が経過（タイムアップ）したことをＣＰＵ２４に通知する。
【００１８】
次に、テレビジョン受像機４の構成について説明する。アンテナ１１で受信された放送信号は、チューナ４１で選局され、信号選択部４２に送られる。信号選択部４２では、ＣＰＵ４４からの信号により、放送信号、外部入力端子１２からの信号またはディスク装置２のＯＳＤ処理部２３からの信号のいずれかが選択される。信号選択部４２の出力信号はＯＳＤ処理部４３に送られ、ここでＣＰＵ４４から送られてくるＯＳＤデータが重畳される。このＯＳＤ処理部４３では、テレビジョン受像機４用のＯＳＤデータが重畳される。上記重畳された信号は、映像信号処理部５１に送られ、そこで音声信号と、映像信号、水平走査信号および垂直走査信号とに分離される。音声信号は音声アンプ５２で増幅されて音声出力部であるスピーカ５３から出力される。映像関連の信号は、映像出力駆動部であるＣＲＴ駆動部５４を介して映像出力部であるＣＲＴ５５に送られる。
【００１９】
操作部５６は、ディスク装置一体型テレビジョン受像機１の不図示の前面パネルに設けられた複数の操作キーおよび多数の操作キーを備えた不図示のリモートコントローラからなる。操作キーには、ディスク装置２の操作専用のキー、テレビジョン受像機４の操作専用のキーおよび両者で共用されるキーがあり、いずれかの操作キーが押されると信号がＣＰＵ４４に送られ、操作キーの種類に応じた処理が行われる。また、ＣＰＵ４４にはメモリー４５が接続されている。メモリー４５には、テレビジョン受像機４の動作を制御するためのプログラム、上述のＯＳＤデータおよび各種の制御データ等が格納されている。また、メモリー４５はＣＰＵ４４の演算作業領域としても使用される。
【００２０】
また、ＣＲＴ５５の輝度、コントラスト等は、操作部５６の所定のキーが操作されることにより、調整（増減）される。メモリー４５には、現在の輝度を記憶する「輝度現在値」および「輝度現在値」のデータがセーブされる「輝度セーブ」の領域が確保されている。所定のキーが操作されると、メモリー４５中の「輝度現在値」の値が増減され、その値がＣＰＵ４４を介してＣＲＴ駆動部５４に送られ、ＣＲＴ５５の輝度が調整（増減）される。
【００２１】
次に、フローチャートに沿って本発明にかかるＣＲＴ５５の焼付きを防止する動作について説明する。図２は、ディスク装置２側の動作を示すフローチャートである。図３は、テレビジョン受像機４側の動作を示すフローチャートである。以下では、ディスク３０はＤＶＤであるとして説明される。尚、フローチャートでは、ディスク装置一体型テレビジョン受像機１の全体の動作ではなく、本発明に関連する部分の動作が示される。まず、図２について説明する。
【００２２】
まず、電源が投入されると、所定の初期化処理がされた後に、トレイにディスク３０が新たにセットされて再生可能な状態になったか否かが調べられる（Ｓ１）。ディスクが新たにセットされて再生可能な状態になった場合は、ＤＶＤのディスクメニューが再生される（Ｓ２）。ディスクメニューのデータは、再生信号処理部３３およびＯＳＤ処理部２３を介してテレビジョン受像機４側に送られる。ディスクメニューは静止画像であるので、この時点で静止画像がＣＲＴ５５に表示されたことになる。次に、ＣＰＵ２４は、テレビジョン受像機４側のＣＰＵ４４にモードをディスクモードにするコマンドを送信する（Ｓ３）。ディスクモードとは、ディスク装置２側からのデータ（ディスク３０の再生データ、ＯＳＤデータ等）がＣＲＴ５５に表示されるモードである。
【００２３】
次に、タイマー３４に所定の時間（例えば、５分）を設定することにより、タイマー３４をスタートさせて（Ｓ４）、Ｓ１に戻る。このタイマー３４に設定された時間により、静止画像がＣＲＴ５５に表示され始めてからの時間が監視される。尚、既にタイマー３４が起動されている場合には、設定時間が再設定されてしまうので、タイマー３４のスタート処理は行われない。このタイマー３４のスタート処理は、後述の他のステップでも同様である。
【００２４】
Ｓ１でＮＯと判断されたときは、ディスク３０をセットするトレイがオープン状態であるか否かが調べられる（Ｓ５）。尚、初回にＳ１でＹＥＳと判断されて、Ｓ２〜Ｓ４が実行された後にＳ１へ戻ったときは、同じディスク３０がセットされているので、２回目のＳ１の判定はＮＯとなる。トレイがオープン状態である場合は、ＣＰＵ２４によりメモリー２５から読み出された背景画像データおよびＯＳＤデータがＯＳＤ処理部２３に送られ、例えば図４（ａ）に示されるように、ＣＲＴ５５に背景画像５５ＡおよびＯＳＤ５５Ｂが表示される（Ｓ６）。この画像も静止画像であり、ここで静止画像の表示が開始されたことになるので、静止画像の表示時間を監視するためにタイマー３４をスタートさせる（Ｓ７）。
【００２５】
Ｓ５でトレイがオープン状態であると判断されなかった場合は、タイマー３４がタイムアップしたか否かが調べられる（Ｓ８）。タイマー３４がタイムアップしたということは、静止画像の表示がタイマー３４に設定された時間を超えて継続して表示されたということである。タイムアップした場合は、ＣＰＵ２４は輝度低下コマンド（静止画像データが継続して表示されている時間が所定の時間を超えた旨のメッセージであって、ＣＲＴ５５の輝度を下げるように指示するコマンド）をテレビジョン受像機４側のＣＰＵ４４に送信して（Ｓ９）、静止画像中のＯＳＤ５５Ｂを消去して（Ｓ１０）、Ｓ１に戻る。
【００２６】
このＯＳＤ５５Ｂの消去により、図４（ｂ）に示されるようにＣＲＴ５５には背景画像５５Ａのみが表示される。ＯＳＤ５５Ｂの輝度は背景画像５５Ａの輝度よりも高いので、ＣＲＴ５５の焼付きを一層効果的に防止するために、ＯＳＤ５５Ｂのみが消去される。この消去は、ＣＰＵ２４がメモリー２５からＯＳＤデータの読み出しを止めて、背景画像データのみをＯＳＤ処理部２３に送ることにより実現される。また、上記形態では、輝度低下コマンドを送信した直後にＯＳＤ５５Ｂの消去が行われているが、当該コマンドを受信したテレビジョン受像機４側のＣＰＵ４４がＣＲＴ５５の輝度を下げて、当該ＣＰＵ４４からの完了コマンドを受信してからＯＳＤ５５Ｂを消去するようにしてもよい。
【００２７】
Ｓ８でタイムアップしたと判断されなかった場合は、テレビジョン受像機４側のＣＰＵ４４から輝度回復コマンドを受信したか否かが調べられる（Ｓ１１）。受信した場合には、Ｓ１０で消去されたＯＳＤ５５Ｂを表示する（Ｓ１２）。この結果、ＣＲＴ５５の表示内容は、Ｓ１０でＯＳＤ５５Ｂが消去される前の状態に戻る。Ｓ１２の実行後、およびＳ１１で輝度回復コマンドを受信しなかった場合は、テレビジョン受像機４側からディスク装置２の操作に使用するキーの情報を受信したか否かが調べられる（Ｓ１３）。キーの情報を受信した場合には、その情報に含まれるキーが有効であるか否かが調べられる（Ｓ１４）。ディスク装置２側の状態によって、受け付けられるキーと受け付けられないキーとがあり、このステップによって受け付けられないキーが排除される。
【００２８】
キーが有効であると判断された場合は、ＣＰＵ２４はモードをディスクモードにするコマンドをテレビジョン受像機４側のＣＰＵ４４に送る（Ｓ１５）。次に、受信したキーの種類に従って、該当する処理が行われる（Ｓ１６）。例えば、ディスク３０がセットされた状態で「再生キー」を受信した場合には、ディスク３０の再生が開始される。また、設定操作をするために「メニューキー」が押された場合には、メニュー画面用のＯＳＤデータがディスク装置２側からテレビジョン受像機４側に送られ、ＣＲＴ５５に表示される。
【００２９】
次に、Ｓ１６で行われた処理によって動画像の表示が開始されたか否かが調べられる（Ｓ１７）。動画像の表示が開始された場合は、静止画像の表示時間を監視する必要がないので、タイマー３４をリセットして（Ｓ１８）、Ｓ１に戻る。動画像が表示されるのは、「再生キー」を受信して、ディスク３０の再生が開始されたようなときであり、この動画像データはテレビジョン受像機４側に送られ、ＣＲＴ５５に表示される。
【００３０】
Ｓ１７で動画像の表示が開始されたと判断されなかった場合は、静止画像の表示が開始されたか否かが調べられる（Ｓ１９）。静止画像の表示が開始された場合は、タイマー３４をスタートさせて（Ｓ２０）、Ｓ１に戻る。このタイマー３４により静止画像の表示時間が監視される。静止画像の表示が開始されたと判断されなかった場合は、Ｓ１６で表示と関係のない処理がされた場合であり、何もせずにＳ１に戻る。
【００３１】
Ｓ１３でキーの情報を受信したと判断されなかった場合、およびＳ１４でキーが有効であると判断されなかった場合は、モードをテレビモードにするコマンドを受信したか否かが調べられる（Ｓ２１）。このコマンドは、テレビジョン受像機４側でモードがテレビモードに設定されたときに、テレビジョン受像機４側のＣＰＵ４４からディスク装置２側のＣＰＵ２４に送信される。テレビモードとは、放送信号がＣＲＴ５５に表示されるモードである。例えば、ディスク３０の再生データを見ていた視聴者が、放送番組を見るために操作部５６の選局キーを押したような場合に、モードはディスクモードからテレビモードに変る。当該コマンドを受信した場合には、ＣＰＵ２４はディスク装置２の動作を停止させて（Ｓ２２）、タイマー３４をリセットして（Ｓ２３）、Ｓ１に戻る。これは、動画像である放送番組がＣＲＴ５５に表示されるようになったので、静止画像の表示時間を監視する必要がなくなったからである。
【００３２】
次に、図３を参照しつつテレビジョン受像機４側の動作を説明する。まず、電源が投入されると、所定の初期化処理がされた後に、モードがテレビモードに設定されると共に、低輝度フラグがリセットされる（Ｓ３１）。このモードのデータおよび低輝度フラグはメモリー４５に記憶されている。次に、ディスク装置２側のＣＰＵ２４からモードをディスクモードにするコマンドを受信したか否かが調べられる（Ｓ３２）。受信した場合は、モードがディスクモードに設定される（Ｓ３３）。ここで、ＣＰＵ４４から信号選択部４２にディスク装置２側からの信号を選択させる信号が送られ、ディスク装置２側から送られてくるデータ（ディスク３０の再生データ、ＯＳＤデータ等）がＣＲＴ５５に表示される。その後、Ｓ３２に戻る。
【００３３】
ディスクモードコマンドを受信したと判断されなかった場合は、輝度低下コマンドを受信したか否かが調べられる（Ｓ３４）。受信した場合には、メモリー４５中の「輝度現在値」のデータが「輝度セーブ」の領域にセーブされ、「輝度現在値」の値が小さくされ、その値がＣＲＴ駆動部５４に送られ、ＣＲＴ５５の輝度が下げられる（Ｓ３５）。この場合、ＣＲＴ５５の輝度は、下げられる前の輝度を基準として、例えば、その２５パーセント程度に下げられる。これにより、ＣＲＴ５５の画面の焼付きが防止される。次に、低輝度フラグがセットされ（Ｓ３６）、その後、Ｓ３２に戻る。低輝度フラグは、焼付き防止のためにＣＲＴ５５の輝度が下げられていることを示す。
【００３４】
輝度低下コマンドを受信したと判断されなかった場合は、操作部５６でキーが押されたか否かが調べられ（Ｓ３７）、押されていない場合はＳ３２に戻る。押された場合は、低輝度フラグがセットされているか否かが調べられる（Ｓ３８）。セットされていない場合はＳ４２に進む。セットされている場合は、「輝度セーブ」の内容を「輝度現在値」に移し、その値がＣＲＴ駆動部５４に送られることにより、ＣＲＴ５５の輝度が、下げられる前の輝度に回復される（戻される）（Ｓ３９）。次に、低輝度フラグをリセットして（Ｓ４０）、輝度回復コマンドをディスク装置２側のＣＰＵ２４に送信して（Ｓ４１）、Ｓ４２に進む。
【００３５】
次に、テレビジョン受像機４用のキーが押されたか否かが調べられる（Ｓ４２）。この判断は、操作部５６の押されたキーのコードおよび現在のモードに基づいて行われる。テレビジョン受像機４用のキーが押された場合には、モードがテレビモードに設定される（Ｓ４３）。ここで、ＣＰＵ４４から信号選択部４２に放送信号を選択させる信号が送られ、放送番組がＣＲＴ５５に表示される。次に、ディスク装置２側にテレビモードに設定されたことを通知するために、テレビモードコマンドが送信される（Ｓ４４）。次に、キーの種類に応じた処理、例えば放送番組の局番の変更が行われ（Ｓ４５）、Ｓ３２に戻る。
【００３６】
テレビジョン受像機４用のキーが押されたと判断されなかった場合は、ディスク装置２用のキーが押されたか否かが調べられる（Ｓ４６）。ディスク装置２用のキーが押された場合は、そのキーの情報がディスク装置２側のＣＰＵ２４に送信され（Ｓ４７）、Ｓ３２に戻る。ディスク装置２用のキーが押されたと判断されなかった場合は、ディスク装置２側およびテレビジョン受像機４側で共通に使用されるキー（例えば、音量を増減させるためのキー）が押されたことになるので、そのキーの種類に応じた処理が行われ（Ｓ４８）、Ｓ３２に戻る。
【００３７】
上記のＣＲＴ５５の画面の焼付き防止の手順においては、静止画像が所定の時間だけ継続してＣＲＴ５５に表示された場合には、ＣＲＴ５５の輝度が下げられるので、焼付きが防止される。また、輝度の調整も、ディスク装置２側からテレビジョン受像機４に送られる信号中の輝度情報を調整するのではなく、輝度が下げられる前のＣＲＴ５５の輝度（ディスク３０の映像または放送番組を視聴するために、予め適切な値に調整されている輝度）を基準として輝度が下げられる。これにより、輝度を下げた際のＣＲＴ５５の画面が明るすぎることはないので、焼付きが防止される。また、暗すぎることもないので、視聴者は、表示されている静止画像の内容を容易に認識することができる。また、静止画像中の他の部分に比べて輝度の高い部分、例えば、ＯＳＤ５５Ｂを静止画像から消去したので、焼付き防止の効果が一層高まる。
【００３８】
以上述べた実施形態においては、記録媒体であるＤＶＤ、ＣＤ等のディスク３０に対して記録再生可能なディスク装置一体型テレビジョン受像機１について説明したが、記録媒体がディスク以外のビデオテープ等である場合にも本発明を実施することができる。
【００３９】
また、上記実施形態では、ディスク装置２側、テレビジョン受像機４側に夫々ＣＰＵ２４、４４およびメモリー２５，４５を持たせ、夫々で機能を分担する場合について説明したが、ＣＰＵおよびメモリーを夫々１つとしても本発明を実施することができる。
【００４０】
さらに、上記実施形態では、映像出力部がＣＲＴ５５である場合について説明したが、ＣＲＴのように静止画像が長時間に渡って表示されることにより焼付きが生じる映像出力部であれば、その映像出力部を備えたディスク装置一体型テレビジョン受像機または再生装置一体型テレビジョン受像機にも本発明を適用できる。
【００４１】
さらに、上記実施形態では、ＣＲＴ５５の輝度を下げると共に、静止画像中のＯＳＤ５５Ｂを消去する場合について説明したが、ＯＳＤ５５Ｂを消去しなくとも所定の焼付き防止の効果を得ることができる。さらに、静止画像全体の輝度を下げるのではなく、ＯＳＤ５５Ｂの輝度のみを下げるようにしても所定の焼付き防止の効果を得ることができる。この場合、ディスク装置２側から送られるＯＳＤデータ中の輝度情報を操作することによって、ＣＲＴ５５の輝度が下げられる。
【００４２】
さらに、上記実施形態では、タイマー３４を用いて静止画像の表示時間を監視する場合について説明したが、静止画像が表示された時刻と現在時刻とを比較することにより、静止画像の表示時間を監視するようにしてもよい。尚、タイマー３４は、ＣＰＵ２４と協働して本発明の動作を制御することから、本発明の制御部に含まれる。
【図面の簡単な説明】
【００４３】
【図１】ディスク装置一体型テレビジョン受像機のブロック図である。
【図２】ディスク装置側の動作を示すフローチャートである。
【図３】テレビジョン受像機側の動作を示すフローチャートである。
【図４】背景画像とＯＳＤとからなる静止画像の一例を示す図である。
【符号の説明】
【００４４】
１    ディスク装置一体型テレビジョン受像機
２    ディスク装置
４    テレビジョン受像機
２４，４４  ＣＰＵ（制御部）
２５，４５  メモリー（記憶部）
３０  ディスク
３４  タイマー（制御部）
５３  スピーカ（音声出力部）
５４  ＣＲＴ駆動部（映像出力駆動部）
５５  ＣＲＴ（映像出力部）
５６  操作部
【図１】
2005086480.tif 000003
【図２】
2005086480.tif 000004
【図３】
2005086480.tif 000005
【図４】
2005086480.tif 000006